(57)【要約】【課題】簡易な構成で、搬送手段から搬出路に物品を案内する。【解決手段】物品１０を搬送する搬送手段１４の上方に、その搬送路上方を傾斜して横切るように走行可能な無端索体２８が配設される。無端索体２８における下側直線軌道部２８ａと、搬送手段１４の物品搬送面１６との間に物品通過空間４０が画成される。無端索体２８に対して複数の案内部材３０が走行方向に並設される。モータにより無端索体２８を走行駆動して案内部材３０を、搬出路側から下側直線軌道部２８ａに臨ませることで、案内部材群により物品通過空間４０が覆われ、物品１０の進行が遮られる。すなわち、案内部材群により進行が遮られた物品１０は、搬送手段１４による搬送に伴って案内部材群に沿って搬出路に向けて案内される。【選択図】  図３
2004345729.tif 000002
【特許請求の範囲】
【請求項１】
搬送手段（１４）で載置搬送される物品（１０）を、該搬送手段（１４）の側方に設けた搬出路（１８）に案内する物品案内装置において、
前記搬送手段（１４）の上方に配設され、その搬送路上方を横切るように走行可能な無端索体（２８）と、
前記無端索体（２８）に対してその走行方向に並設され、前記搬送手段（１４）上の前記物品（１０）が通過する物品通過空間（４０）を、物品（１０）の進行を遮るように前記搬出路（１８）側から覆って該物品（１０）を搬出路（１８）に案内し得る複数の案内部材（３０）と、
前記無端索体（２８）を走行駆動する駆動手段（３２）とからなる案内機構（２０）を備え、
前記物品通過空間（４０）を前記搬出路（１８）側から覆っている案内部材群の先端位置を、搬出路（１８）側端位置より前記搬送手段（１４）における物品搬送方向の上流側に位置するよう構成すると共に、該先端位置を、前記駆動手段（３２）により前記無端索体（２８）を走行駆動することで変更し得るよう構成した
ことを特徴とする物品案内装置。
【請求項２】
前記搬送手段（１４）の一側方に、複数の前記搬出路（１８）が該搬送手段（１４）の物品搬送方向に離間して設けられると共に、各搬出路（１８）に対応して前記案内機構（２０）が夫々配設され、
前記各駆動手段（３２）により無端索体（２８）を走行駆動することで、前記各案内機構（２０）における前記案内部材群で覆っている物品通過空間（４０）の領域を、前記物品（１０）の進行を遮るもとの遮らないものとに設定して、複数の前記搬出路（１８）に対して物品（１０）が選択的に案内されるようにすると共に、
前記物品（１０）が案内される搬出路（１８）に対応する案内機構（２０）については、上流側の案内機構（２０）における物品通過空間（４０）を覆う領域より下流側の案内機構（２０）における物品通過空間（４０）を覆う領域を広く設定し、上流側の案内機構（２０）を通過した物品（１０）を下流側の案内機構（２０）を介して対応する搬出路（１８）に案内し得るようにした請求項１記載の物品案内装置。
【請求項３】
前記搬送手段（１４）上の前記物品（１０）は、該搬送手段（１４）の物品搬送方向に沿って並んだ列をなし、かつ該列が該搬送手段（１４）の幅方向に複数並んだ状態で搬送され、該物品（１０）は、各列毎に前記各案内機構（２０）により対応する搬出路（１８）に案内されるようになっている請求項２記載の物品案内装置。
【発明の詳細な説明】
【０００１】
【発明の属する技術分野】
この発明は、物品案内装置に関し、更に詳細には、コンベヤ等の搬送手段により搬送される物品を、該搬送手段の側方に設けた搬出路に案内する物品案内装置に関するものである。
【０００２】
【従来の技術】
ベルトコンベヤ等の搬送手段で搬送される多数の物品を、該搬送手段の側方に設けた複数の搬出路に分配し、この搬出路に設けられた別のベルトコンベヤあるいはシュート等で、該搬出路に接続して配設された横型製袋充填機等の包装機やその他の処理機に物品を供給することが一般に実施されている。前記搬送手段から搬出路への物品の分配にあたって、該搬送手段の物品搬送方向に対して、物品の搬送を妨げるように案内部材を搬送路上に斜めに配置し、この案内部材で物品を搬出路に案内して別のベルトコンベヤやシュートに誘導する物品案内装置がある。
【０００３】
前記物品案内装置の一例として、複数のブレードと、該ブレードがそれらの両端で回転可能に連結された複数のカーソルと、これらカーソルを摺動可能に取付けた構造体とを備え、この構造体においてベルトコンベヤに縁部を向けた状態で支持されたブレードにより、進行ラインに沿った物品の流れを妨害すると共に、物品を複数の搬出路に分割するように構成されたものがある（例えば、特許文献１参照）。前記物品案内装置は、ブレードおよび構造体に連結されて、搬送方向およびブレード間の相互間隔に対し傾斜角度を付与すべく回転力を加える移動手段と、ブレードの傾斜回転動作および作業機械の運転状況を検出する検出手段と、検出手段の信号に関連してブレードの傾斜回転動作を自動的に起動することにより物品の部分流れを分配する制御手段とを備えている。
【０００４】
【特許文献１】
特開平１０−２５０２１号公報
【０００５】
【発明が解決しようとする課題】
前記物品案内装置では、搬出路に物品を案内するためにブレード（案内部材）の位置を変更したり、物品の進行ラインに対するブレードの傾斜角度を変更する機構等が複雑になる問題が指摘される。
【０００６】
【発明の目的】
この発明は、従来の技術に係る物品案内装置に内在している前記課題に鑑み、これを好適に解決するべく提案されたものであって、搬送手段で搬送される物品を、該搬送手段の側方に設けた搬出路に簡易な構成で案内し得る物品案内装置を提供することを目的とする。
【０００７】
【課題を解決するための手段】
前記課題を克服し、所定の目的を達成するため、本発明に係る物品案内装置は、
搬送手段で載置搬送される物品を、該搬送手段の側方に設けた搬出路に案内する物品案内装置において、
前記搬送手段の上方に配設され、その搬送路上方を横切るように走行可能な無端索体と、
前記無端索体に対してその走行方向に並設され、前記搬送手段上の前記物品が通過する物品通過空間を、物品の進行を遮るように前記搬出路側から覆って該物品を搬出路に案内し得る複数の案内部材と、
前記無端索体を走行駆動する駆動手段とからなる案内機構を備え、
前記物品通過空間を前記搬出路側から覆っている案内部材群の先端位置を、搬出路側端位置より前記搬送手段における物品搬送方向の上流側に位置するよう構成すると共に、該先端位置を、前記駆動手段により前記無端索体を走行駆動することで変更し得るよう構成したことを特徴とする。
【０００８】
【発明の実施の形態】
次に、本発明に係る物品案内装置につき、好適な実施例を挙げて、添付図面を参照して以下に説明する。図１に示すように、実施例の搬送手段１４としては、ベルトコンベヤが用いられ、その物品搬送面（ベルト面）１６に多数の物品１０が、該搬送手段１４の物品搬送方向に沿って所定間隔で一列に並び、かつ該搬送手段１４の幅方向に所定間隔で複数列（実施例では７列）で並んで載置された状態で上流側から搬送されてくる。前記搬送手段１４の一側方には、前記物品搬送面１６上を搬送される物品１０を受け取る搬出路１８が、該搬送手段１４の物品搬送方向に所要間隔離間して複数（実施例では９箇所）設けられている。前記各搬出路１８には、別のベルトコンベヤ（図示せず）が設置され、該搬出路１８から図示しない横型製袋充填機等の包装機やその他の処理機に物品１０を供給するよう構成されている。
【０００９】
前記各搬出路１８に対応して、前記搬送手段１４により搬送されてくる物品１０を、該搬出路１８に案内する案内機構２０が夫々配設され、これらの案内機構２０が全体として物品案内装置１２を構成している。前記各案内機構２０は、図３に示す如く、中心軸が平行になるように配置された一対の回転体２６，２６に巻掛けられた無端索体２８と、この無端索体２８の外方に延出してその走行方向に並設された複数の案内部材３０と、該回転体２６を介して無端索体２８を走行駆動することで、該無端索体２８に配設された案内部材３０を、前記搬送手段１４の搬送路（物品搬送面１６）上方を横切るように進退自在に移動させる駆動手段３２とから基本的に構成される。
【００１０】
より具体的には、一対のスプロケット等の前記回転体２６，２６は、前記搬送手段１４における物品搬送面１６の幅方向の寸法以上に離間されて、該回転体２６の中心軸が平行になるよう長尺な機枠２２に回転自在に配設されている。そして、これら一対の回転体２６，２６に無端チェン等の前記無端索体２８が巻掛けられ、該無端索体２８は、少なくとも１つの直線軌道部２８ａを持つ略長円軌道上を走行可能となる。前記機枠２２の長手方向の両端には夫々支持脚２４が設けられ、この支持脚２４，２４を、前記搬送手段１４の搬送路（物品搬送面１６）を挟む両側に臨むコンベヤフレームの両側縁部１５，１５に夫々立設することで、該機枠２２は前記搬送手段１４の物品搬送方向と交差し、かつ前記物品搬送面１６から上方に所定高さ離間した状態で該支持脚２４，２４を介して跨設される。また実施例の前記回転体２６，２６は、その中心軸が前記搬送手段１４の物品搬送面１６に対して平行に設置され、実施例の無端索体２８は、上下方向に離間して平行な下側直線軌道部２８ａおよび上側直線軌道部２８ｂを有する略長円軌道上を走行する。両直線軌道部２８ａ，２８ｂは搬送手段１４の搬送路（物品搬送面１６）上方を横切るよう設定されると共に、該直線軌道部２８ａ，２８ｂが、前記物品搬送面１６と平行になるよう前記機枠２２が設置される。そして、前記機枠２２および無端索体２８における前記下側直線軌道部２８ａの下方には、前記物品搬送面１６との間に、該搬送面１６上を搬送される物品１０の通過が可能な物品通過空間４０が画成されるようになっている（図３参照）。
【００１１】
前記無端索体２８には、その外方、すなわち前記下側直線軌道部２８ａにあっては下側に延出するように、板状の案内部材３０が複数並設されている（図３参照）。この案内部材３０は、前記無端索体２８において前記直線軌道部２８ａ，２８ｂの長さに相当する長さに亘ってその走行方向に所定間隔で取り付けられる。実施例では、案内部材３０の隣り合う面が互いに斜めにカットされ、重なり合った状態で配設されている。そして、前記下側直線軌道部２８ａは案内用軌道として機能し、該下側直線軌道部２８ａに複数の案内部材３０が位置した際に、隣り合う案内部材３０の間に概ね隙間がない密着した状態になり、これら案内部材群が前記搬出路１８側から延びる壁状の案内体として前記物品通過空間４０を覆い、前記物品搬送面１６上を搬送されてくる物品１０の進行（通過）を遮るよう設定してある。なお、前記案内部材３０における無端索体２８からの延出寸法は、前記物品搬送面１６に接触しない寸法に設定される。
【００１２】
前記案内機構２０では、図２に示す如く、前記一方の回転体２６は、前記搬出路１８の導入口１８ａにおける前記搬送手段１４の物品搬送方向下流側の端部に近接して配置され、他方の回転体２６は、前記物品搬送面１６を挟んで該搬出路１８より前記搬送手段１４における物品搬送方向の上流側に配置されている。前記一対の回転体２６，２６に巻掛けられた無端索体２８の下側直線軌道部２８ａは、当然前記搬送手段１４の物品搬送方向上流側から下流側に向かうにつれ、前記搬出路１８に向けて傾斜するよう配置される。従って、前記下側直線軌道部２８ａに前記案内部材群が位置した際に、該案内部材群は、前記搬出路１８側から前記搬送手段１４の物品搬送方向に対して斜めに壁状に延在し、該案内部材群により進行が妨げられた物品１０は、搬送手段１４による搬送に伴って案内部材群に沿って搬出路１８に向けて案内される。
【００１３】
前記搬出路１８に近接する位置に設けられた回転体２６には、正逆回転可能な駆動手段としてのモータ３２が連結され、該モータ３２の正逆回転により回転体２６を介して無端索体２８が正逆方向に走行駆動されて、該無端索体２８に配設された前記案内部材３０が、前記搬送手段１４の搬送路上方を横切るように進退移動する。そして、前記モータ３２を一方に回転すると、無端索体２８の下側直線軌道部２８ａに位置する案内部材３０が、前記搬出路１８から離間する方向に前進移動されて前記物品通過空間４０を覆う。またモータ３２を他方に回転すると、無端索体２８の下側直線軌道部２８ａに位置する案内部材３０が、前記搬出路１８に近接する方向に後退移動されて前記物品通過空間４０を開放するよう設定される。すなわち、前記モータ３２の駆動により下側直線軌道部２８ａに位置する案内部材群の先端位置（搬出路１８から最も離間している先頭の案内部材３０）を、物品搬送面１６の幅方向に変更することで、該案内部材群により覆う物品通過空間４０の領域の大きさを任意に設定変更し得るようになっている。そして、この構成により、前記搬送手段１４で搬送されてくる物品１０を、複数の前記搬出路１８に対して選択して案内することができる。例えば、各モータ３２により無端索体２８を走行駆動することで、前記各案内機構２０における前記案内部材群で覆っている物品通過空間４０の領域を、前記物品１０の進行を遮るもとの遮らないものとに設定することで、複数の前記搬出路１８に対して物品１０が選択的に案内される。
【００１４】
前記下側直線軌道部２８ａに臨む案内部材群における先頭の案内部材３０の位置は、前記物品１０の列に対応して設定される。すなわち、各案内機構２０における先頭の案内部材３０の位置を前記物品搬送面１６の物品幅方向にずらして、上流側の案内機構２０における物品通過空間４０を覆う領域より下流側の案内機構２０における物品通過空間４０を覆う領域を広く設定することで、上流側の案内機構２０を通過した物品１０を下流側の案内機構２０を介して対応する搬出路１８に案内することができるようになっている。前記先頭の案内部材３０の位置は、案内部材３０の原点位置を検出するセンサ３４と無端索体２８の回転と対応してパルス信号を発するパルス発生手段からなる検出手段からの信号に基づいて、図示しない制御手段がモータ３２の運転をオン、オフ制御することで任意の位置に位置決めし得るよう構成される。実施例では、案内部材群における最後尾に位置する案内部材３０（図３において上側直線軌道部２８ｂに臨んで搬出路１８から最も離間する位置の案内部材３０）を、搬出路１８から離間する側の回転体２６の近傍に設けたセンサ３４により検出することで（図５参照）原点位置を設定し、パルス発生手段のパルス数に基づき、この原点位置に対する無端索体２８の走行量を変化させることで、前記先頭の案内部材３０の位置を制御する方法が採用されている。なお、前記先頭の案内部材３０の位置を直接検出する別のセンサを複数設ける構成でもよい。
【００１５】
【実施例の作用】
次に、実施例に係る物品案内装置１２の作用について説明する。なお実施例では、図１に示すように、前記搬送手段１４の側方に、その物品搬送方向に離間して９箇所の搬出路１８が設けられるのに対し、前記物品搬送面１６には幅方向に７列で並んで物品１０が搬送され、各列毎の物品１０を７箇所の搬出路１８に夫々案内機構２０で分配する場合で説明する。すなわち、物品１０が分配されない２箇所の搬出路１８（上流側から３つ目と６つ目）は予備とされ、該搬出路１８に対応する案内機構２０においては、前記先頭の案内部材３０の位置は、当該案内機構２０の案内部材群で覆われる前記物品通過空間４０の領域が、その直上流側に位置する案内機構２０の案内部材群で覆われる物品通過空間４０の領域より狭くなるか、これと同程度となる。すなわち、予備の搬出路１８に対応する案内機構２０における前記先頭の案内部材３０は、その直上流側に位置する案内機構２０を通過してきた物品１０の進行を遮らない位置に位置決めされる。
【００１６】
前述した条件における作用を以下に詳述する。説明の便宜上、前記９箇所の搬出路１８に対応する案内機構２０に関しては、前記搬送手段１４における物品搬送方向の上流側から順に第１案内機構２０、第２案内機構２０〜第９案内機構２０と指称すると共に、前記物品１０の列に関しては、搬出路１８に近接する側から離間する側に順に第１物品列、第２物品列〜第７物品列と指称するものとする。
【００１７】
前記物品案内装置１２では、各案内機構２０の先頭の案内部材３０の位置が、対応する物品列の物品１０の進行を遮る位置となるよう、対応するモータ３２により無端索体２８が夫々走行駆動される。すなわち、第１案内機構２０における先頭の案内部材３０の位置は、第１物品列の物品１０の進行を遮る位置に位置決めされ、第２案内機構２０における先頭の案内部材３０の位置は、第２物品列の物品１０の進行を遮る位置に位置決めされ、第４案内機構２０における先頭の案内部材３０の位置は、第３物品列の物品１０の進行を遮る位置に位置決めされ、第５案内機構２０における先頭の案内部材３０の位置は、第４物品列の物品１０の進行を遮る位置に位置決めされ、第７案内機構２０における先頭の案内部材３０の位置は、第５物品列の物品１０の進行を遮る位置に位置決めされ、第８案内機構２０における先頭の案内部材３０の位置は、第６物品列の物品１０の進行を遮る位置に位置決めされ、第９案内機構２０における先頭の案内部材３０の位置は、第７物品列の物品１０の進行を遮る位置に位置決めされる。
【００１８】
この状態で前記搬送手段１４により搬送されてくる物品１０は、図１に示す如く、第１物品列の物品１０の進行が、第１案内機構２０における下側直線軌道部２８ａに壁状に臨む案内部材群により遮られ、該物品１０は、搬送手段１４の搬送に伴って傾斜している当該案内部材群に沿って対応する搬出路１８に向けて案内される。次に、第１案内機構２０の物品通過空間４０を通過した第２物品列の物品１０の進行が、第２案内機構２０における下側直線軌道部２８ａに壁状に臨む案内部材群により遮られ、該物品１０は、搬送手段１４の搬送に伴って傾斜している当該案内部材群に沿って対応する搬出路１８に向けて案内される。以後は同様に、第３物品列の物品１０が第４案内機構２０、第４物品列の物品１０が第５案内機構２０、第５物品列の物品１０が第７案内機構２０、第６物品列の物品１０が第８案内機構２０、第７物品列の物品１０が第９案内機構２０を介して夫々対応する搬出路１８に分配される。但し、前述した予備の搬出路１８に対応する第３および第６案内機構２０における案内部材群（その先頭の案内部材３０）では、搬送手段１４で搬送される物品１０の進行は遮られず、引続き下流側に搬送されて処理される。
【００１９】
次に、前記物品１０が分配案内されていた搬出路１８に接続する包装機等が、メンテナンス等の何等かの事情で停止した際には、この包装機等からの停止信号により、当該搬出路１８への物品１０の案内は停止される。そして、この場合は、前記予備としての１基の案内機構２０により物品１０の分配を行ない得るよう、先頭の案内部材３０の位置を変更することで、物品１０の搬送を停止することなく包装作業を引続き行ない得る。
【００２０】
例えば、図６に示す如く、第５案内機構２０による分配案内を停止した場合は、これより上流側に位置する予備の第３案内機構２０の先頭の案内部材３０の位置を、第３物品列の物品１０の進行を遮る位置に位置決めすると共に、第４案内機構２０の先頭の案内部材３０の位置を、第４物品列の物品１０の進行を遮る位置に位置決めする。これにより、第３物品列の物品１０が予備の第３案内機構２０を介して搬出路１８に案内されると共に、第４物品列の物品１０が第４案内機構２０を介して搬出路１８に案内される。すなわち、このように両案内機構２０，２０の先頭の案内部材３０，３０の位置を変更することで、第５案内機構２０を含んで下流側の各機構２０の先頭の案内部材３０の位置を変更することなく対応し得る。
【００２１】
なお、予備の搬出路１８の位置および物品１０の分配案内を停止する案内機構２０の位置によっては、当該案内機構２０における先頭の案内部材３０の位置を、今まで進行を遮っていた物品列の通過を許容する位置まで搬出路１８側へ後退移動させると共に、該案内機構２０より下流側に位置して物品１０を分配案内していた各案内機構２０における各先頭の案内部材３０を、物品列の一列分だけ搬出路１８側に後退移動することで対応し得る。
【００２２】
実施例の物品案内装置１２の案内機構２０では、前記モータ３２による回転により無端索体２８を走行させ、該無端索体２８に設けられている案内部材３０の位置を変更することができる。すなわち、迅速に案内部材３０による物品１０の進行を遮る位置を変更することができる。また、前記搬送手段１４の搬送路（物品搬送面１６）上方で案内部材３０を直線的に移動するだけで、物品１０を複数の搬送路１８に選択的に案内し得るから、従来例で挙げた案内装置に比べて機構を簡素化してコンパクト化を図り得る。
【００２３】
【変更例】
本願は前述した実施例の構成に限定されるものでなく、その他の構成を適宜に採用することができる。
１．搬送手段１４として、ベルトコンベヤに代えてスラットコンベヤやローラコンベヤ等、物品１０を非拘束状態で載置搬送する他の手段を採用することが可能である。
２．搬出路１８について、包装機等への移送手段としてはベルトコンベヤに限定されず、これに代えて例えばスラットコンベヤやローラコンベヤ、または搬出路１８に包装機等の物品導入部（導入コンベヤ）を直接接続する構成であってもよい。
３．搬送手段１４から包装機等に向けて下方傾斜するシュートを搬出路１８に配設することで、案内機構２０により案内されて搬出路１８に至った物品１０を移送する手段も取り得る。
４．案内部材３０が配設される無端索体２８は、無端チェンに限定されるものでなく、ベルト等であってもよい。
５．案内部材３０の無端索体２８からの延出長さは、物品搬送面１６上を搬送されてくる物品１０の進行を遮る寸法、すなわち案内部材３０と物品搬送面１６との離間間隔が、該物品１０の高さ寸法より小さくなっていればよい。従って、無端索体２８の下側直線軌道部２８ａは、前記物品搬送面１６に対して平行でなく、上下方向に傾斜していてもよく、またこの直線軌道に代えて曲線軌道等としてもよい。
６．実施例の案内部材３０は板状のものを採用したが、例えばブロック形状等、物品１０の進行を遮り、搬出路１８に向けて物品１０を円滑に案内し得る形状であれば特に限定されない。また案内部材３０の無端索体２８における走行方向の配設間隔は、下側直線軌道部２８ａに案内部材３０が位置した際に、物品搬送面１６上の物品１０を該案内部材３０に沿って搬出路１８に案内し得る間隔であれば、隣り合う案内部材３０が離間していてもよい。
７．案内機構２０における先頭の案内部材３０の位置を検出する検出手段としては、該案内部材３０を直接検出するセンサを、各物品列に対応する位置に設ける構成を採用し得る。
８．実施例のように、案内機構２０を複数備えた分配装置としての使用態様の他、例えば案内機構２０を１基配設し、特定の物品（例えば不良品）を搬送手段１４から排出する選別装置としての使用態様や、前記搬送手段１４で搬送される物品１０の全部または一部の搬送経路を搬出路１８に向けて切替える切替装置としての使用態様に採用することもできる。
９．実施例では、１基の案内機構２０で案内する搬送手段１４上の物品列は１列分とする態様であったが、複数列分の物品１０を搬出路１８に案内する態様でもよい。また、各案内機構２０で案内する物品列の数は異なっていてもよい。
１０．実施例では、搬送手段１４で搬送される物品列の列数に対し、搬出路１８をこれより多く設け、これらの搬出路１８に対して選択的に物品列を分配したが、搬送手段１４で搬送される物品列の列数と搬出路１８の数とを同数とし、何れかの搬出路１８に物品１０を案内しない場合は、他の搬出路１８に振り分ける態様を採り得る。
１１．実施例では、搬送手段１４の物品搬送方向に沿って並ぶと共に物品搬送面１６の幅方向に並んだ状態（該幅方向に広がった状態）で搬送手段１４に載置して搬送される物品１０を、該搬送手段１４の側方に設けた搬出路１８に案内する態様について説明したが、物品搬送面１６の幅方向において、物品１０がランダムな状態（物品搬送方向に沿って並ばない状態）、または物品搬送方向および物品搬送面１６の幅方向に共に不規則かつ密集した状態等、該幅方向に広がった状態で物品１０が搬送手段１４上に載置される場合でも、本発明の物品案内装置１２で好適に物品１０を分配することができる。
【００２４】
【発明の効果】
以上に説明した如く、本発明の請求項１に係る物品案内装置によれば、無端索体に配設した案内部材により物品の進行を遮って搬出路に案内する構成としたから、案内機構を簡素化することができ、コンパクト化を図り得る。また案内部材の位置変更は、無端索体を走行するだけで迅速に行なうことができる。更に、案内部材の位置変更により、物品の進行を遮ったり許容し得る範囲を任意に変更可能であるから、分配装置、選別装置、切替装置等に対応可能である。
【００２５】
また請求項２に係る物品案内装置によれば、搬送手段の一側方に設けた複数の搬出路に対して選択的に、案内機構を介して物品を分配することができる。更に請求項３に係る物品案内装置によれば、列をなして搬送される物品を、その列毎に案内機構を介して対応する搬出路に案内し得る。
【図面の簡単な説明】
【図１】本発明の好適な実施例に係る物品案内装置を示す平面図である。
【図２】実施例に係る物品案内装置の案内機構を示す平面図である。
【図３】実施例に係る物品案内装置の案内機構を示す側面図である。
【図４】実施例に係る物品案内装置の案内機構を示す要部断面図である。
【図５】実施例に係る物品案内装置の案内機構を示す要部断面図である。
【図６】実施例に係る物品案内装置の案内機構の別の物品分配状況を示す平面図である。
【符号の説明】
１０  物品
１４  搬送手段
１８  搬出路
２０  案内機構
２６  回転体
２８  無端索体
３０  案内部材
３２  モータ（駆動手段）
４０  物品通過空間
【図１】
2004345729.tif 000003
【図２】
2004345729.tif 000004
【図３】
2004345729.tif 000005
【図４】
2004345729.tif 000006
【図５】
2004345729.tif 000007
【図６】
2004345729.tif 000008